(57)【特許請求の範囲】
【請求項１】
入力部において人為的な入力操作を行うことにより、この入力操作の回数に対応した補正を画像データに対して行う補正手段を備えている画像処理装置であって、
前記入力部は複数種の補正の何れかを選択して人為的な入力操作を行えるように構成され、
前記補正手段により前記補正が行われた際に、前記入力部での入力操作の積算値を補正経過情報として記憶する記憶部と、
前記補正手段による前記補正が所定回数行われた際に、前記記憶部に記憶された前記補正経過情報の入力操作の積算値の総和が大きいほど、当該オペレータが行う単一の入力操作に対する補正量を大きく設定する補正量変更手段とを備えている画像処理装置。
【請求項２】
前記画像データを前記補正手段によって補正した補正結果を表示するモニタを備え、前記入力部が前記モニタに表示したボタン又はキーボードのキーで形成され、前記ボタンの操作回数、又は、前記キーの操作回数を前記入力操作の前記積算値として取得し、前記補正手段に与えるインタフェースを備えている請求項１記載の画像処理装置。
【請求項３】
画像データ取得手段によって前記画像データを取得した際に、取得した画像データから前記補正量を設定して前記補正手段に与え、この補正手段による補正を実現する自動補正実行部を備えると共に、この自動補正実行部による補正処理の後に、前記入力部における人為的な入力操作を許容する請求項１または２に記載の画像処理装置。
【請求項４】
前記記憶部は、複数のオペレータの入力操作の前記積算値を、オペレータ毎に識別可能な構造のデータとして記憶し、前記補正量変更手段はオペレータ毎に入力操作の前記積算値と補正量との対応関係を変更する請求項１〜３のいずれか１項に記載の画像処理装置。
【請求項５】
前記記憶部に記憶された操作経過情報を通信回線を介して送り出す情報伝送手段を備えている請求項１〜４のいずれか１項に記載の画像処理装置。
【発明の詳細な説明】
【技術分野】
【０００１】
本発明は、入力部において人為的な入力操作を行うことにより、この入力操作の積算値に対応した補正量の補正を画像データに対して行う補正手段を備えている画像処理装置に関する。
【背景技術】
【０００２】
上記のように構成された画像処理装置と関連する技術としては特許文献１に記載されるものが存在する。つまり、画像データを補正するための補正値をオペレータが調整（設定変更）した場合には、調整操作に伴って補正値（露光量設定用情報）をログファイル化して自動的に保存し、このログファイルを指定することにより補正値を復元できように構成されている。具体的には、フィルムの全てのコマの画像データを調節する必要がある場合には、全調整ルーチンにおいて、補正パラメータの全てをログファイル化し、日時データを付加してハードディスクに保存する。この後に、操作卓からの入力に基づいて補正パラメータを調整し、この補正パラメータで補正された画像データをモニタに表示し、調整が決定した場合には、プリント画像データの補正を行う。
【０００３】
また、不適正な調整を行った場合のように、元の補正状態に復元する必要がある場合には、補正パラメータ復元ルーチンにおいて、ログファイルとして保存された補正パラメータをアンドゥの操作によって指定することや、補正が行われた日時に基づいて補正パラメータを指定し、この補正パラメータを補正値にセットすることも行えるように構成されている。
【０００４】
【特許文献１】特開２００１‐３３０９１３号公報  （段落番号〔００１２〕〜〔００２８〕、図４、図５）
【発明の開示】
【発明が解決しようとする課題】
【０００５】
ＤＰ店に設置されているデジタル処理が可能な写真プリント装置を例に挙げると、取得した画像データをモニタに表示した状態で、プリント対象とする画像データ（コマ）の指定を行い、プリント枚数の設定を行い、必要な場合には色補正や濃度補正等の補正処理を行っている。この種の処理をプレジャッジと称しており、補正処理に着目すると、自動的な補正処理の他に、オペレータの操作による補正処理も行われている。
【０００６】
オペレータの操作による補正処理では、モニタに表示された補正用ボタンをマウス等のポインティングデバイスで選択して操作することや、キーボードにおいて補正用に割り当てられた補正キーを操作する操作形態も多く採用され、この補正処理を行った場合には、この補正結果をディスプレイの画像データから確認できる。
【０００７】
また、補正処理における色補正や濃度補正では、モニタに表示された補正ボタンの操作回数や、キーボードの補正キーの操作回数で補正量を設定することも一般的に行われている。しかしながら、補正量が大きい場合には、マウスをクリックする回数やキーを操作する回数が増大するものとなり改善の余地がある。
【０００８】
このように補正量が増大する原因の多くは、撮影時の不適正な露出設定や、照明の色温度に起因するものであるが、例えば、積雪が多い地方では、冬季において雪を背景にした画像データが多く、この種の画像データでは人物の顔の濃度不足が発生しやすく、逆に、夏季において画像全体が露出オーバになる現象も発生することもある。この種の補正は画像データの濃度を大きく変更する操作に繋がるものであり、人為的に補正処理を行う際のオペレータの操作の軽減が望まれている。
【０００９】
また、前述した不都合を改善するために、特許文献１に記載されたもののように、ログファイルに保存した補正パラメータを補正値に設定するものを考えると、この特許文献１では、補正パラメータを復元して補正値に設定するだけであり、前述した不都合を解消できないものである。
【００１０】
本発明の目的は、画像データを人為的に補正する際の手間を軽減し得る画像処理装置を合理的に構成する点にある。
【課題を解決するための手段】
【００１１】
本発明の特徴は、入力部において人為的な入力操作を行うことにより、この入力操作の回数に対応した補正を画像データに対して行う補正手段を備えている画像処理装置において、
前記補正手段により前記補正が行われた際に、前記入力部での入力操作の積算値を補正経過情報として記憶する記憶部と、
前記補正手段による前記補正が所定回数行われた際に、前記記憶部に記憶された前記補正経過情報の入力操作の積算値の総和が大きいほど、当該オペレータが行う単一の入力操作に対する補正量を大きく設定する補正量変更手段とを備えている点にある。
【００１２】
この構成により補正手段で画像データの補正を行うために入力操作を行った場合には、この入力操作の積算値が補正経過情報として記憶部に記憶されるので、この記憶部に記憶された補正経過情報に基づいて補正量変更手段が入力操作の積算値と補正量との対応関係を変更する。つまり、補正キーの操作回数で補正量が決まるものの場合、補正経過情報に基づいて、操作回数と補正量との関係を変更することで、操作回数を低減できる。その結果、例えば、季節毎の補正の傾向が変化し、この変化に起因してキー操作が増大する地方でも、画像データを人為的に補正する際の手間を軽減し得る画像処理装置が合理的に構成された。
【００１４】
また、この構成により、複数の色補正や濃度補正を行うもののように、入力部において複数種の補正に対して入力操作を行った場合には、この複数種の入力操作の積算値が記憶部に記憶される。そして、補正量変更手段は、入力操作の積算値の総和が大きいものほど、単一の入力操作に対する補正量を大きく設定することにより、入力操作の手間を軽減できる。
【００１５】
本発明は、前記画像データを前記補正手段によって補正した補正結果を表示するモニタを備え、前記入力部が前記モニタに表示したボタン又はキーボードのキーで形成され、前記ボタンの操作回数、又は、前記キーの操作回数を前記入力操作の前記積算値として取得し、前記補正手段に与えるインタフェースを備えても良い。
【００１６】
この構成により、モニタに表示されたボタン又はキーボードのキーを操作した場合には、インタフェースが操作回数を入力操作の積算値として補正手段に与えるものとなる。
【００１７】
本発明は、画像データ取得手段によって前記画像データを取得した際に、取得した画像データから前記補正量を設定して前記補正手段に与え、この補正手段による補正を実現する自動補正実行部を備えると共に、この自動補正実行部による補正処理の後に、前記入力部における人為的な入力操作を許容しても良い。
【００１８】
この構成により、自動的な補正処理の後に、人為的な入力操作による補正処理を行えるものとなり、人為的に補正処理を行う際の補正処理を軽減できる。
【００１９】
本発明は、前記記憶部が、複数のオペレータの入力操作の前記積算値を、オペレータ毎に識別可能な構造のデータとして記憶し、前記補正量変更手段はオペレータ毎に入力操作の前記積算値と補正量との対応関係を変更しても良い。
【００２０】
この構成により、オペレータ毎に入力操作の積算値と補正量との対応関係を変更することにより、オペレータ毎に必要とする操作感覚で補正処理を行えるばかりでなく、例えば、オペレータが誤った操作を行った場合でも、他のオペレータが誤った操作に基づいた補正量で補正する弊害を排除できる。
【００２１】
本発明は、前記記憶部に記憶された操作経過情報を通信回線を介して送り出す情報伝送手段を備えても良い。
【００２２】
この構成により、例えば、画像処理装置から離間した位置の装置において操作経過情報を管理する場合は、複数の画像処理装置における操作経過情報を管理する場合でも通信回線を介して容易に操作経過情報を取得できる。
【発明を実施するための最良の形態】
【００２３】
以下、本発明の実施形態を図面に基づいて説明する。
〔全体構成〕
図１に示すようにオペレート部Ａとプリント部Ｂとを備えて写真処理装置が構成されている。前記オペレート部Ａは、コンソール部１０に対して写真フィルムＦのコマ画像を光電変換によりデジタル信号化して取り込むフィルムスキャナ１１と、各種情報を表示するモニタ１２と、画像処理と各種処理とを実現するコンピュータ１３とを配置し、コンソール部１０の上面にはキーボードＫＢと、マウス１５とを備えている。
【００２４】
前記処理装置１３にはＣＤやＭＯやＦＤ等のディスク型のメディアからの情報を取得する、あるいは、半導体型のメディアからの情報を取得するようメディアの構造に対応したメディアドライブ１６を備えている。尚、前記キーボードＫＢとマウス１５とが人為的な入力操作を行う入力部として機能する。
【００２５】
この写真処理装置では、前記オペレート部Ａのコンピュータ１３が通信回線１７を介して補正経過情報管理部１８と接続している。補正経過情報管理部１８は、汎用のコンピュータで構成され、通信回線１７を介して補正経過情報を取得して管理するものである。また、補正経過情報とは後述するようにオペレート部Ａにおいてオペレータが画像データの補正を行った際のキー操作の積算値を含む情報である。
【００２６】
前記プリント部Ｂは、筐体２０の内部においてプリントサイズに切断した銀塩式の印画紙Ｐを露光部に搬送し、この露光部においてレーザビームにより画像情報の露光を行い、この露光後の印画紙Ｐを現像処理槽に搬送して現像処理を行う。次に、現像処理の後に乾燥処理を行い、筐体２０の上部から水平方向に送り出し、更に、この印画紙Ｐを搬送ベルト２１からソータ２２の複数のトレイ２３に対してオーダ単位で仕分けて集積するよう構成されている。
【００２７】
前記コンピュータ１３は、前述のようにフィルムスキャナ１１によって取り込んだ画像データ、あるいは、前記メディアドライブ１６を介してメディアから取り込んだ画像データを前記半導体メモリ３１やハードディスクＨＤ（図４を参照）に対して保存する処理を行うと共に、プリント対象となる画像データをサムネイル形式でモニタ１２に表示し、前記キーボードＫＢからの情報に基づきプリント枚数やプリントサイズの設定と、マニュアル補正とを実現する。
【００２８】
このように、前記オペレート部Ａに備えたモニタ１２、コンピュータ１３、マウス１５、キーボードＫＢによって本発明の画像処理装置が構成されている。
【００２９】
図２に示すように、前記キーボードＫＢは、前記モニタ１２に表示された複数の画像情報の何れかを選択する際にカーソル（図示せず）を縦横に移動させる４つのカーソルキー１と、色補正を行う際に補正色を指定するイエロー（Ｙ）、マゼンタ（Ｍ）、シアン（Ｃ）に対応した色補正選択キー２と、濃度補正を選択する濃度補正選択キー３と、補正量やプリント枚数を増大するインクリメントキー４と、補正量やプリント枚数を低減するデクリメントキー５と、これらの数値を初期値に設定するニュートラルキー６と、ファンクションキー７と、プリントを実行する実行キー８と、処理を一時的に停止する停止キー９とを備えている。図面にも示すように夫々のキーのキートップには、そのキー機能を示す文字や記号やシンボルが視認可能な形態でプリントされている。
【００３０】
この写真処理装置の制御系の概要を図４のように示している。つまり、前記コンピュータ１３は、入出力インタフェース３０と、この入出力インタフェース３０からの情報を処理するマイクロプロセッサＣＰＵとを備えている。前記入出力インタフェース３０は、前記フィルムスキャナ１１、モニタ１２、キーボードＫＢ、マウス１５、メディアドライブ１６、ハードディスクＨＤ（記憶部の一例）、通信端末２５夫々からの情報がアクセスする。また、ＣＰＵのデータバスに対して半導体メモリ３１、オペレーティングシステム３２、画像データ取得手段３３、プレジャッジ画面制御手段３４、補正手段３５、補正経過情報記憶手段３６、補正量変更手段３７、プリント実行手段３８、情報伝送手段３９からの情報がアクセス可能となるように接続している。
【００３１】
オペレーティングシステム３２、画像データ取得手段３３、プレジャッジ画面制御手段３４、補正手段３５、補正経過情報記憶手段３６、補正量変更手段３７、プリント実行手段３８、情報伝送手段３９夫々は前記半導体メモリ３１に展開されるソフトウエアを想定しているが、ロジック等のハードウエアで構成することも可能である。また、これらをハードウエアとの組み合わせによって構成しても良い。また、同図に示す前記制御系では、制御を実現するために前記データバスの他にコントロールバスやアドレスバス等を必要とするものであるが、複雑化を避けるために図面にはコントロールバスやアドレスバス、インタフェース類を示していない。
【００３２】
前記オペレーティングシステム３２は、半導体メモリ３１を管理すると共に、ソフトウエアを半導体メモリ３１に展開して実行を実現するものであり、前記キーボードＫＢやマウス１５の情報を取得して、実行中の処理に与えるインタフェースとしても機能する。前記画像データ取得手段３３は、前記フィルムスキャナ１１あるいは前記メディアドライブ１６からの画像データを取得する。前記プレジャッジ画面制御手段３４はモニタ１２に対して図３に示すプレジャッジ画面５０を表示し、この画面の表示に基づいてオペレータがプリント処理に必要な情報の入力、補正処理を実現すると共に、プリントを行う画像データの確認と、マニュアル補正の確認とを行えるようにしている。
【００３３】
前記補正手段３５は、自動補正実行部３５Ａとマニュアル補正実行部３５Ｂとで成り、自動補正実行部３５Ａは、画像データの状態から各種補正の補正量を設定して自動的な補正処理を実現する。また、マニュアル補正実行部３５Ｂは、前記プレジャッジ画面５０において補正状態を確認しながら画像データに対する補正処理を実現する。前記補正経過情報記憶手段３６は、補正処理を行う際に前記キーボードＫＢのキーを操作した回数や、モニタ１２に表示されたボタンの操作回数を補正経過情報として記憶する処理を行う。
【００３４】
前記補正量変更手段３７は、後述するようにオペレータが画像データの補正を行う際の入力操作の積算値と補正量との対応関係を変更する。前記プリント実行手段３８は、プレジャッジ後の画像データを前記プリント部Ｂに伝送してプリント処理を実現する。前記情報伝送手段３９は、前記補正経過情報管理部１８からの要求や、予め設定されたタイミング毎に前記ハードディスクＨＤに記憶された補正経過情報を補正経過情報管理部１８に伝送する。
【００３５】
〔画像処理ルーチン〕
前記コンピュータ１３で画像処理を行う際の処理の流れの概要を図５のフローチャートに示している。
【００３６】
つまり、画像処理を行う場合には、最初にＩＤコード等、オペレータの識別情報を保存し、そのオペレータ毎に設定された補正係数をセットし、前記フィルムスキャナ１１あるいは前記メディアドライブ１６から取得した画像データの自動補正処理を行う。この自動補正処理の後に、モニタ１２に対して図３示すプレジャッジ画面５０を表示し、この画面中に自動補正処理後の画像データをサムネイル形式で表示する（＃１０１〜＃１０３ステップ）。
【００３７】
前記画像データを取得する処理は、前記画像データ取得手段３３が前記フィルムスキャナ１１あるいは前記メディアドライブ１６を制御することで実現する。取得した画像データはＲ（赤）、Ｇ（緑）、Ｂ（青）の３原色に色分解されたデータ構造を有しており、この画像データは、夫々を識別し得る情報（例えばコマ番号）を付して前記ハードディスクＨＤに記憶される。
【００３８】
前記自動補正処理は、前記補正手段３５の自動補正実行部３５Ａが自動的に実行するものであり、この自動補正実行部３５Ａは取得した画像データの状態から、各種補正の必要の有無を判断し、補正が必要と判断した画像データが存在する場合には、補正のための情報を設定して補正処理を実行する。尚、この自動補正処理において、複数の画像データのうち適正なプリントを行えないものを抽出する処理も行われる。
【００３９】
また、モニタ１２にプレジャッジ画面５０を表示し、この画面中に画像データをサムネイル形式で表示する処理は前記プレジャッジ画面制御手段３４が実現する。つまり、図３に示すように、前記プレジャッジ画面５０は、画像データを表示する複数の表示部５１が形成されている。この画面の下方位置にオーダ情報表示部５２が形成され、夫々の表示部の下方位置にＹ（イエロー）、Ｍ（マゼンタ）、Ｃ（シアン）に対応した色補正選択ボタン５３と、濃度補正選択ボタン５４と、プリント枚数表示部５５とが形成され、表示部５１の上部位置に画像を特定するコマ表示部５６が形成される。
【００４０】
尚、前記自動補正処理によってプリントを行えないものとして抽出された画像データ、あるいは、オペレータがプリントを行わないものとして設定した画像データに対しては、その画像データの表示部５１に「Ｐａｓｓ」のメッセージが表示される。
【００４１】
このプレジャッジ画面５０をモニタ１２に表示した状態で、マニュアル補正によって色補正を行う場合には、オペレータがマウス１５の操作によってカーソル（図示せず）を３つの色補正選択ボタン５３の１つの位置に一致させてマウス１５のスイッチをクリックすることや、キーボードＫＢにおいて前記色補正選択キー２の１つを操作した後に、前記インクリメントキー４又はデクリメントキー５を操作することになる。前記マニュアル補正実行部３５Ｂは、このインクリメントキー４又はデクリメントキー５の操作回数を補正量として取得し、この補正量に対応した補正結果をシミュレートして表示部５１に出力する（＃１０４、＃１０５ステップ）。
【００４２】
また、インクリメントキー４又はデクリメントキー５を１回操作した際の補正量はオペレータ毎に設定された補正係数に基づいたものであり、色補正を例に挙げると、インクリメントキー４又はデクリメントキー５を複数回操作した場合には、対応した３原色（Ｙ・Ｍ・Ｃ）の画像データのうち対応したものに対して、操作回数に補正係数を乗ずる演算により補正が実現する。
【００４３】
このように色補正を行う際に、前述したように色補正選択ボタン５３の１つを選択した場合や、色補正選択キー２の１つを選択した場合には、選択状態にあることを示すために、選択された色補正選択ボタン５３を反転表示することや、ブリンクさせることや、輪郭を強調する等の形態での表示が行われる。
【００４４】
前記３つの色補正選択ボタン５３と濃度補正選択ボタン５４は初期状態においてＮの文字が表示され、選択した状態でインクリメントキー４を１回操作した場合にはＮの文字に代えて＋１が表示され、更に１回操作した場合には＋２の文字が表示される。これと同様に、デクリメントキー５を１回操作した場合にはＮの文字に代えて−１が表示され、更に１回操作した場合には−２の文字が表示される。
【００４５】
尚、濃度補正を行う場合には、マウス１５の操作でカーソル（図示せず）を濃度補正選択ボタン５４に一致させてマウス１５のスイッチをクリックすることや、キーボードＫＢの濃度補正選択キー３を操作した後に、前記インクリメントキー４又はデクリメントキー５を操作することにより、このインクリメントキー４又はデクリメントキー５の操作回数を補正量として取得し、この補正量に対応した補正結果をシミュレートして表示部５１に出力する。
【００４６】
プレジャッジ画面５０には、前記インクリメントキー４とデクリメントキー５とに対応するものを形成していないが、インクリメントボタンとデクリメントボタンを形成し、いずれかのボタンをカーソルで選択した状態でマウス１５のスイッチのクリック回数で補正量を設定するように前記プレジャッジ画面制御手段３４の制御形態を設定しても良い。
【００４７】
次に、前記インクリメントキー４又はデクリメントキー５の操作回数を示すデータと、この操作を行った補正種別を示すデータとを関連付けると共に、各画像データのマニュアル補正が行われる毎に、これらの情報をオペレータの識別情報に関連付けてハードディスクＨＤに記憶する（＃１０６ステップ）。
【００４８】
このように記憶する情報を補正経過情報と称しており、前記補正経過情報記憶手段３６での処理によって実現する。図面には示さないが、この補正経過情報は、例えば、オペレータの識別情報と、各種補正を識別する情報と、インクリメントキー４の操作回数と、デクリメントキー５の操作回数とを互いに関連付け、ＣＳＶ（Comma Separated Values）等の構造のファイルとしてハードディスクＨＤ（記憶部の一例）に対して、各画像データについて補正のための操作が行われる毎に記憶される。
【００４９】
このような処理によって、各画像データに対する補正量が決定した場合には、各種補正毎に設定された補正量に基づいてハードディスクＨＤに記憶されている画像データの補正をプレジャッジが終了するまで継続的に行う（＃１０７〜＃１０９ステップ）。
【００５０】
〔補正量変更ルーチン〕
前述のように補正経過情報がハードディスクＨＤに保存された場合には、前記補正量変更手段３７によって図６に示す補正量変更ルーチンが実行される。
【００５１】
つまり、補正量の変更はマニュアル補正を行った処理のオーダ数が設定数に達した際に行われるものであり（＃２０１、＃２０２ステップ）、この設定数に達したことが判別されると、オペレータの識別情報で分類された各種補正毎の操作回数の積算値の総和を取得する（＃２０３ステップ）。前述した積算値は、１つの画像データに対する補正時のキーの操作回数を示すものであり、この積算値の総和を取得することにより、補正の傾向を取得できる。
【００５２】
次に、前記総和の値が第１設定値を越え、第２設定値を越えないことを判別した場合には、前記インクリメントキー４又はデクリメントキー５の１回の操作に対する補正量を増大するように前記補正係数を変更し、インクリメントキー４又はデクリメントキー５の１回の操作に対する補正量が増大したことを示す情報を出力する（＃２０４〜＃２０７ステップ）。
【００５３】
また、＃２０５ステップにおいて総和値が第２設定値を越える場合には、インクリメントキー４又はデクリメントキー５の故障や、補正手段３５のマニュアル補正実行部３５Ｂが適正な処理を行っていないことの可能性があり、このように故障である可能性を示す情報を出力する（＃２０８ステップ）。
【００５４】
尚、＃２０７、＃２０８ステップにおいて情報を出力した場合には、前記モニタ１２に文字やシンボル等の形態でオペレータに情報の伝達を行う。
【００５５】
このように、オペレータの識別情報で分類された各種補正毎の操作回数の積算値に基づいて、オペレータ毎に補正係数を保存し、画像補正を行う場合にはオペレータ毎に補正係数を設定することにより、例えば、偏った補正処理を行うオペレータからの影響を排除した状態で、補正を行う際のインクリメントキー４又はデクリメントキー５の操作回数を低減して、適正な補正を実現する。
【００５６】
前記情報伝送手段３９は、前記補正経過情報管理部１８からの要求があった場合に、前記ハードディスクＨＤに記憶された補正経過情報を補正経過情報管理部１８に伝送する。また、補正経過情報を補正経過情報管理部１８に伝送する際の制御形態として、予め設定された日時が経過したタイミングや、予め設定されたオーダ数の処理を行ったタイミングで伝送することも考えられる。
【００５７】
前記補正経過情報管理部１８は、複数の画像処理装置における補正経過情報を管理するために有効に機能する。
【００５８】
このように本発明によると、プレジャッジ画面５０をモニタ１２に表示した状態で、オペレータがマニュアル補正を行った場合には、色補正を行う場合でも濃度補正を行う場合でも、キーを操作する毎にオペレータの識別情報と、各種補正を識別する情報と、インクリメントキー４の操作回数と、デクリメントキー５の操作回数とを互いに関連付け、補正経過情報として保存され、この保存の後には、オペレータ毎の補正の傾向を判断して自動的に補正量を変更するので、季節によってマニュアル補正時のキーの操作量が変動する場合でも、この変更の後にマニュアル補正を行う場合には、必要な補正を行うためのキーの操作回数が少なくなり、オペレータの操作の負担を軽減するばかりでなく、迅速な補正を実現する。
【００５９】
〔別実施形態〕
本発明は、上記した実施の形態以外に以下のように構成しても良い。
【００６０】
（ａ）インクリメントキー４、デクリメントキー５等の補正量を設定する入力部の１回の操作に対する補正量を変更する際に、１つのオーダに含まれる複数の画像データのうち、特定の補正が行われた画像データの数が多いことを判別し、この補正の傾向が複数のオーダについて発生している場合に、１回の操作（単一の入力操作）に対する補正量の増大を図るように変更形態を設定する。
【００６１】
つまり、１つのオーダの画像データに露出オーバや、露出不足のものが含まれている場合には、補正を行うべき画像データが１つである場合でも入力部の操作回数が増大し、この入力回数が積算され、補正量を変更する場合に補正の傾向を適正に反映できないものとなる。しかしながら、この別実施の形態では、１つのオーダに含まれる複数の画像データの多くのものについて同じ補正が行われたことを複数のオーダにおいて確認した場合に、一回の操作（単一の入力操作）に対する補正量の増大を図るので、補正の偏りを誤りなく把握して適正な補正量をセットできる。
【００６２】
（ｂ）前記実施形態で説明したように、オペレータ毎にセットされる補正係数（補正量）を、他のオペレータの補正係数として利用できるように複写等の処理を行えるようにする。このように処理形態を設定することにより、補正処理に熟練したオペレータの補正操作に基づいた補正係数を他のオペレータも用いて能率的な処理を実現する。
【００６３】
（ｃ）単位入力操作に対する補正量が自動的に変更された後に、変更前の補正量に戻すための処理を行えるように復元手段を備える。この復元手段を機能させるためにキーボードＫＢに専用のキーを備えることや、復元のための画面をモニタ１２に表示することが考えられ、この復元手段を備えることにより、特殊な補正処理を大量に行った後に、元の補正量に基づいた適正なマニュアル補正を行える。
【００６４】
（ｄ）ハードディスクＨＤに記憶した操作経過情報に基づく補正の傾向を示す情報をモニタ１２に表示できるようにする。このように補正の傾向をモニタ１２に表示することにより、補正係数（補正量）が変更される以前でも、補正の傾向を認識することにより、補正の傾向に従った補正を積極的に行うことも可能となり適正な補正を実現する。
【産業上の利用可能性】
【００６５】
プリントのための画像データの補正だけではなく、表示のためだけに用いる画像データの補正に適用できる。
【図面の簡単な説明】
【００６６】
【図１】写真処理装置の斜視図
【図２】キーボードの平面図
【図３】プレジャッジ画面を示す図
【図４】制御系を示すブロック回路図
【図５】画像処理ルーチンのフローチャート
【図６】補正量変更ルーチンのフローチャート
【符号の説明】
【００６７】
１２          モニタ
１５          入力部：マウス
１７          通信回線
３２          インタフェース：オペレーティングシステム
３３          画像データ取得手段
３５          補正手段
３５Ａ        自動補正実行部
３７          補正量変更手段
３９          情報伝送手段
ＫＢ          入力部・キーボード
ＨＤ          記憶部：ハードディスク
【図１】
0004817003.tif 000002
【図２】
0004817003.tif 000003
【図３】
0004817003.tif 000004
【図４】
0004817003.tif 000005
【図５】
0004817003.tif 000006
【図６】
0004817003.tif 000007